(57)【要約】【課題】ポリタンク内の灯油が少量になったとき吸い上げに苦労する。灯油タンクも倒れやすい。また、灯油ポンプを収納する際に、灯油ポンプから滴る灯油で手や衣服を汚すことがある。【解決手段】灯油タンク置台装着用突起２を両側面に有する基台１前部に、斜度を付けた壁面４を有し上部に灯油ポンプ収納用穴５を設けた灯油ポンプ置台３を設置し、灯油ポンプ置台３の側面下部に支点を有する可動台６を基台１の上部に装着し、基台１と可動台６とをスプリング７で連結して可動台の上下動を可能とし、灯油タンク置台装着用突起２に灯油タンク置台１０を回転自在に装着した構成である。【選択図】　　図１
2004035106.tif 000002
【特許請求の範囲】
【請求項１】
灯油タンク置台装着用突起（２）を両側面に有する基台（１）前部に、斜度を付けた壁面（４）を有し、上部に灯油ポンプ収納用穴（５）を設けた灯油ポンプ置台（３）を設置し、灯油ポンプ置台（３）の側面下部に支点を有する可動台（６）を基台（１）の上部に装着し、基台（１）と可動台（６）とをスプリング（７）で連結して可動台（６）の上下動を可能とし、灯油タンク置台装着用突起（２）に灯油タンク置台（１０）を回転自在に装着した構成であることを特徴とする灯油タンク、ポリタンク及び灯油ポンプ置台。
【発明の詳細な説明】
【０００１】
【発明の属する技術分野】
この発明は、ポリタンクから灯油タンクに灯油を注入する際に使用する台に関している。
【０００２】
【従来の技術】
ポリタンクに灯油を入れて保管し、灯油タンク内の灯油が無くなると、ポリタンクと灯油タンクを並べ、灯油ポンプの吸い上げ管をポリタンクに入れ、灯油ポンプの排水管を灯油タンクに入れてポリタンク内の灯油を灯油タンクへ移している。ポリタンク内の灯油が減少すると、灯油ポンプの吸い上げ管の働きが悪くなるためポリタンクを手で支えて傾けるか、ポリタンクの底の片側に板や石をおいてポリタンクを傾けて灯油ポンプの吸い上げを良くしようとする。
【０００３】
灯油ポンプは管が２本下方に伸びている形状で、しかもポリタンクから灯油タンクへ灯油を移すのに使用した後は管から灯油が垂れるので保管が厄介である。通常、保管には、新聞紙に巻いておくか、ビニールやポリエチレンの袋に入れたり、剥き出しのまま置いておくことが多い。
【０００４】
【発明の解決しようとする課題】
このようにポリタンク内の灯油が少量になったとき吸い上げに苦労するのは灯油ポンプの問題ではなく、ポリタンクの底が平らであるため灯油ポンプの吸い上げ管が空気を吸って、灯油を吸い上げていないためである。しかし、ポリタンクを安定して保管するためには、ポリタンクの底は平らであるのが当然である。そこで、本発明においては、ポリタンクの内容量が変化するに従い、ポリタンクの傾きが変化するようにし、置き場所に苦労している灯油ポンプに関しても、ポリタンクの側に使い易い形態で保管することができるようにし、更に、倒れやすい灯油タンクをポリタンクの側に並べられるような便利な装置を提供しようとするものである。
【０００５】
また、灯油ポンプを収納する際に、灯油ポンプから滴る灯油で手や衣服を汚すことがあるので、灯油ポンプの保管場所を提供使用とするものである。
【０００６】
【課題を解決するための手段】
本発明においては、ポリタンク１４を保管する基台１を作成し、基台１の上に先端を支点とし、後部が基台１に装着したスプリング７により押し上げられる構造の可動台６を連結し、可動台６の上にポリタンク１４を載せている。基台１の前部に灯油ポンプ１６を収納する灯油ポンプ置台３を設置し、前面に斜度を設けている。ポリタンク１４の内容量の減少に従い、スプリング７の作用で、ポリタンク１４は前方へ傾くが、斜度の付いたポリタンク置台３の前面壁面４に支えられる。
【０００７】
ポリタンク１４から灯油タンク１５へ灯油を注入する際に、灯油タンク１５をポリタンク１４の側に安定して設置するため、基台１に灯油タンク置台１０を具備している。灯油タンク置台１０を基台１０の左右いずれの側にも設置できるように、基台１に灯油タンク置台装着用突起２を設けている。灯油タンク置台１０は不使用時は立ててポリタンク１４の側面を押さえる状態となる。
【０００８】
可動台６の後部が上下動するようにするため、可動台６に装着する可動軸スライド穴付きスプリング押さえ９に長穴１１を設けている。
【０００９】
【発明の実施の形態】
本発明の実施においては、スプリングはコイルバネ、板バネ、押さえバネ等各種のスプリングを利用できる。
【００１０】
灯油ポンプ置台に設けた灯油ポンプ収納用穴の位置は上部に限らず、前面、背面、側面いずれにすることもできる。
【００１１】
灯油ポンプ置台を組立式とすることもでき、基台や可動台と分離することも可能である。
【００１２】
本発明の灯油タンク、ポリタンク及び灯油ポンプ置台の材質は、金属、合成樹脂、木材等が考えられる。
【００１３】
【実施例】
実施例について図面を参照して説明する。図１は本発明の灯油タンク、ポリタンク及び灯油ポンプ置台の斜視図である。基台１、灯油ポンプ置台３、可動台６、灯油タンク置台１０から構成され、基台１の前部に灯油ポンプ置台３が設置されている。灯油ポンプ置台３の上部には灯油ポンプ収納用穴５が開けられ、灯油ポンプ置台３の下部に可動台６の先端を軸着している。可動台６の両側で後方側面にスプリング７を基台１と連結するように軸着し、可動軸スライド穴付きスプリング押さえ９で可動台６と基台１の間のスプリング７をカバーしている。可動軸スライド穴付きスプリング押さえ９には長穴１１が開けてあり、可動台６の上下動の動きをスムーズにしている。基台１に装着したスプリング７の部分はスプリング押さえ８でカバーされている。基台１の両側面に灯油タンク置台装着用突起２が突出し、灯油タンク置台１０を左右いずれの面にも回転自在に装着できるようにしている。
【００１４】
図２は本発明の灯油タンク、ポリタンク及び灯油ポンプ置台の分解図である。基台１に灯油ポンプ置台３が具備され、灯油ポンプ１６は灯油ポンプ置台３の灯油ポンプ収納用穴５に収納されている。可動台６は回転軸の支点を灯油ポンプ置台３の下端両側面の穴１３にネジ１２で回転自在に装着される。基台１と可動台６の後部をスプリング７で連結し、スプリング押さえ８と可動軸スライド穴付きスプリング押さえ９でスプリング７を保持し、可動軸スライド穴付きスプリング押さえ９に長穴１１を設けることで、可動台６の上下動を妨げないようになっている。基台１の両側面の灯油タンク置台装着用突起２に灯油タンク置台１０が回転自在にネジ穴１３へネジ１２で装着される。
【００１５】
図３は本発明の灯油タンク、ポリタンク及び灯油ポンプ置台の側面図である。図３においては、ポリタンク１４にスプリングの弾撥性よりも多い量の灯油が入っているため、ポリタンク１４を載せた可動台６は基台１に合わさり、ポリタンクは灯油ポンプ置台３の壁面４より離れた状態である。
【００１６】
図４は本発明の灯油タンク、ポリタンク及び灯油ポンプ置台の側面図である。図４においては、ポリタンク１４に入っている灯油の量はスプリングの弾撥性より少ないため、ポリタンク１４を載せた可動台６の後部は基台１より上がり、ポリタンク１４は前方に傾き灯油ポンプ置台３の壁面４に接して止まっている。
【００１７】
図５は本発明の灯油タンク、ポリタンク及び灯油ポンプ置台の使用例である。多量の灯油の入ったポリタンク１４が可動台６の上に設置され、灯油タンク置台１０に載せた灯油タンク１５へ灯油ポンプ１６で灯油を注入している状態を示している。図４に示すように、ポリタンク１４内の灯油が少量になるとポリタンク１４は前方に自動的に傾くので、ポリタンク１４内の全ての灯油を灯油タンク１５へ注入することができる。図３、図４に示すように灯油タンク置台１０は不使用時は立てていて、灯油タンク１５を載せる使用時には図５のように倒して使用する。
【００１８】
【発明の効果】
本発明の灯油タンク、ポリタンク及び灯油ポンプ置台を使用すると、灯油タンク、ポリタンク、灯油ポンプの置き場所が決まるので、灯油をポリタンクから灯油タンクへ注入するのが容易になる。
【００１９】
灯油ポンプの収納場所に困らず、周囲を汚さずに収納できる。
【００２０】
ポリタンク内の灯油を最後まで使用することができる。
【００２１】
灯油を注入する際に、灯油タンクを倒したり、周囲を汚したり、手や衣服を汚すことがなくなる。
【図面の簡単な説明】
【図１】本発明の灯油タンク、ポリタンク及び灯油ポンプ置台の斜視図である。
【図２】本発明の灯油タンク、ポリタンク及び灯油ポンプ置台の分解図である。
【図３】本発明の灯油タンク、ポリタンク及び灯油ポンプ置台の側面図である。
【図４】本発明の灯油タンク、ポリタンク及び灯油ポンプ置台の側面図である。
【図５】本発明の灯油タンク、ポリタンク及び灯油ポンプ置台の使用例である。
【符号の説明】
１　基台
２　灯油タンク置台装着用突起
３　灯油ポンプ置台
４　壁面
５　灯油ポンプ収納用穴
６　可動台
７　スプリング
８　スプリング押さえ
９　可動軸スライド穴付きスプリング押さえ
１０　灯油タンク置台
１１　長穴
１２　ネジ
１３　ネジ穴
１４　ポリタンク
１５　灯油タンク
１６　灯油ポンプ
【図１】
2004035106.tif 000003
【図２】
2004035106.tif 000004
【図３】
2004035106.tif 000005
【図４】
2004035106.tif 000006
【図５】
2004035106.tif 000007